(57)【要約】【課題】プレス加工で簡易に製造することができ、製造コストを抑えることが出来るとともに、経年変化せずに強度を保持しつつ、一切の溶接加工を必要とせず、また金属板材の先端が手摺り使用者の手に触れる側に露出することがない手摺り用ブラケットを提供すること。【解決手段】手摺りを固定する手摺り支持部と、壁面に固定される取付座と、手摺り支持部及び取付座を接続するアーム部とを一体に形成した手摺り用ブラケットにおいて、取付座の両側から一体に延設されたアーム部と、それぞれの前記アーム部の先端から一体に延設された手摺り支持部を備えた金属板材を形成し、各手摺り支持部を各アーム部との境で裏面方向に先端部が立設するように折り曲げるとともに、各アーム部を取付座との境で裏面方向に互いに略平行に立設した。【選択図】図１
2015010461.tif 000002
【特許請求の範囲】
【請求項１】
手摺りを固定する手摺り支持部と、壁面に固定される取付座と、前記手摺り支持部及び前記取付座を接続するアーム部とを一体に形成した手摺り用ブラケットにおいて、前記取付座の両側から一体に延設された前記アーム部と、それぞれの前記アーム部の先端から一体に延設された前記手摺り支持部を備えた金属板材を形成し、各前記手摺り支持部を各前記アーム部との境で裏面方向に先端部が立設するように折り曲げるとともに、前記各アーム部を前記取付座との境で裏面方向に互いに略平行に立設したことを特徴とする手摺り用ブラケット。
【請求項２】
前記金属板材のプレス加工前の形状が略コの字形状であって、プレス加工を用いて折曲することにより、側面略Ｌ字型の角状の環を形成することを特徴とする請求項１に記載の手摺り用ブラケット。
【請求項３】
前記手摺り支持部は、固定される手摺りの曲面形状に合わせて所定のカーブを有していることを特徴とする請求項１または２に記載の手摺り用ブラケット。
【請求項４】
一方の前記アーム部及び一体に延設された前記手摺り支持部の長さを変えることにより、前記手摺り支持部が所定の角度に傾斜していることを特徴とする請求項１，２または３に記載の手摺り用ブラケット。
【請求項５】
前記手摺り用ブラケットの少なくとも前記アーム部を被覆するためのカバー体が備えられていることを特徴とする請求項１，２，３または４に記載の手摺り用ブラケット。
【発明の詳細な説明】
【技術分野】
【０００１】
本発明は、手摺り用ブラケットに関し、特にプレス加工で容易に製造することができ、製造コストを抑えるとともに、十分な強度と安全性を有する手摺り用ブラケットに関するものである。
【背景技術】
【０００２】
一般的に、手摺り用ブラケットは、手摺りを固定する手摺り支持部と、壁や扉に固定される取付座と、手摺り支持部及び取付座を接続するアーム部とを有している。
【０００３】
通常、手摺り用ブラケットの製造においては、亜鉛やアルミダイカストを用いて一体的に製造される他、取付座、アーム部、手摺り支持部をそれぞれ製造した後、溶接により接合する方法が用いられている。
【０００４】
しかしながら、亜鉛・アルミダイカストを用いた製品においては、製品の製造過程において不純物が混入することがあり、この混入した不純物が原因で、手摺り用ブラケットの一部が折れる事故が発生する可能性があるが、製造後の完成品から不純物の混入の有無については判断することは難しく、品質の安定を保つことが非常に困難である。
【０００５】
また、溶接による接合方法においては、溶接を行う技術者の力量に品質が左右されるとともに、経年劣化により強度が低下し、大きな荷重により溶接部から折れやすい等の問題がある。
【０００６】
そこで、上記の問題を解決する手段として、プレス加工により製造される手摺り用ブラケットが知られている（特許文献１）。
【０００７】
図５に示したように、プレス加工により製造される手摺り用ブラケットは、その材料として金属板材料が採用されるため、アルミダイカストでの製造のようにその製造過程において不純物が混入することがなく、品質の安定性を維持することが出来る。
【０００８】
しかしながら、従来の特許文献１に示したプレス加工による手摺り用ブラケット（図５）の、手摺り支持部５は、金属板材料の表面側方向に先端部５１が外側になるように折曲げて合わせる構成であったため、プレス加工だけでなく、その後にアーム部４の一部を溶接して固定する必要があった。
【０００９】
また、前記手摺り支持部は金属板材料の表面側方向に先端部５１が外側になるように折曲げているため、金属板材料の先端部５１が手摺り支持部５の外側に露出することになる。金属板の先端部５１は曲げた部分よりも角が鋭いため、上から手摺りを掴んだ場合に手摺り裏側に回った指が手摺り用ブラケット１の手摺り支持部５１の角に当たり思わぬ怪我するおそれがあった。
【先行技術文献】
【特許文献】
【００１０】
【特許文献１】特開２００８-３０８９０４号公報
【発明の概要】
【発明が解決しようとする課題】
【００１１】
本発明は前記課題を解決するためになされたものであり、プレス加工で簡易に製造する
ことができ、製造コストを抑えることが出来るとともに、経年変化せずに強度を保持しつつ、一切の溶接加工を必要とせず、また金属板材の先端が手摺り使用者の手に触れる側に露出することがない手摺り用ブラケットを提供することを課題とする。
【課題を解決するための手段】
【００１２】
前記課題を解決するためになされた本発明は、手摺りを固定する手摺り支持部と、壁面に固定される取付座と、手摺り支持部及び取付座を接続するアーム部とを一体に形成した手摺り用ブラケットにおいて、取付座の両側から一体に延設されたアーム部と、それぞれの前記アーム部の先端から一体に延設された手摺り支持部を備えた金属板材を形成し、各手摺り支持部を各アーム部との境で裏面方向に先端部が立設するように折り曲げるとともに、各アーム部を取付座との境で裏面方向に互いに略平行に立設したことを特徴とする。
【００１３】
また、前記金属板材の展開時の形状が略コの字形状であって、プレス加工を用いて折曲することにより、側面略Ｌ字型の角状の環を形成するとともに、手摺り支持部は、固定される手摺り側の設置面が曲面の場合には、前記曲面の形状に合わせて所定の角度のカーブをつけてプレス加工を施すことにより手摺りとの密着性を高め、強度を高めることもできる。
【００１４】
さらに、一方のアーム部及び一体に延設された手摺り支持部の長さを変えることにより、手摺り支持部を所定の角度に傾斜させ、手摺りの設置角度の合わせて手摺り支持部の角度を調節することも可能である。
【００１５】
そして、前記手摺り用ブラケットには、手摺りや設置壁の色や、安全性を考慮して、前記手摺り用ブラケットを被覆するためのカバー体を取り付けることもできる。
【発明の効果】
【００１６】
本発明によれば、手摺りを固定する手摺り支持部と、壁面に固定される取付座と、手摺り支持部及び取付座を接続するアーム部とを一体に形成した手摺り用ブラケットにおいて、取付座の両側から一体に延設されたアーム部と、それぞれの前記アーム部の先端から一体に延設された手摺り支持部を備えた金属板材を形成し、各手摺り支持部を各アーム部との境で折曲するとともに、各アーム部を取付座との境で折曲することにより、前記金属板材の両先端部が対向して配置された手摺り用ブラケットをプレス加工のみで簡易に製造することができるとともに、製造コストを抑えられ、経年変化せずに強度的にも優れ、金属板材料の先端部が外側に露出しないため安全で、どの方向からの荷重に対しても十分な強度を保持することができる。
【図面の簡単な説明】
【００１７】
【図１】本発明の好ましい実施の形態を示す手摺り用ブラケットであり、（ａ）斜視図、（ｂ）手摺りと合わせた使用状態を示した斜視図である
【図２】本発明の好ましい実施の形態を示す手摺り用ブラケットであり、（ａ）正面図、（ｂ）側面図、（ｃ）平面図である、（ｄ）本発明に係る手摺り用ブラケットの別の実施形態を示した正面図である。
【図３】本発明に係る手摺り用ブラケットのプレス加工手順を示した概要図である。
【図４】本発明の好ましい実施の形態を示す手摺り用ブラケットにカバー体を被覆した状態を示す参考斜視図である。
【図５】従来の手摺り用ブラケットである。
【発明を実施するための形態】
【００１８】
以下に、図面を参照しながら本発明を実施するための形態を説明する。
【００１９】
図１乃至図４は、本発明の好ましい実施の形態を示すものである。
この手摺り用ブラケットは、図１（ａ），（ｂ）に示すように手摺り２を固定する手摺り支持部５と、壁面に手摺りブラケット１を固定するための取付座３と、手摺り支持部５及び取付座３を接続するアーム部４とを一体に形成した手摺り用ブラケット１であって、（ｂ）に示すように手摺り２を下方向から支える構成となっている。
【００２０】
そして、本実施の形態においては、図２（ａ）示すように、本手摺り用ブラケットはその正面形状が略四角形状で、取付座３と壁をねじで固定するためのねじ孔３１が設けられている。
そして、（ｃ）に示すように平面方向も略四角形状であるとともに、手摺り支持部５は、内側に先端部５１が構成されるように曲げられ、手摺り支持部５の所定の位置に手摺り２を手摺り用ブラケット１に固定するためのねじ孔５２が設けられている。
【００２１】
また、（ｂ）に示すように、本手摺り用ブラケットの、側面形状は略Ｌ字を有し、手摺り支持部５の上に手摺り２が固定されている。
ここで、手摺り用ブラケット１と手摺り２との関係については、基本的には、財団法人ベターリビングの「優良住宅部品評価基準」に準拠した形で設計される。
【００２２】
具体的には例えば、手摺り２の直径は３０〜４０ｍｍの円形とし、手摺り２と壁との隙間寸法は、３０〜５０ｍｍと定められているため、アーム部の長さ及び角度については、この規定と強度を考慮して作成される。
【００２３】
続いて、本手摺り用ブラケット１のプレス加工について説明する。
【００２４】
本実施の形態にかかる手摺り用ブラケットのプレス加工の手順については、図３に示すように、初めに金属板材料として錆に強く、十分な強度を有し、入手が安易なステンレス板材を用いて行った。
【００２５】
まず、所定の厚さを持ったステンレス板材から（ａ）に示すような略コの字型のステンレス板材の型抜きを行った後、必要なねじ孔３１、５２を予め設けたステンレス板材を作成する。そして、裏面（前記ステンレス板材において、最終的に手摺り用ブラケットに加工された場合に内側にくる面）が上側になるように置かれた前記ステンレス板材の先端部５１から手摺り用ブラケット完成時において、両先端部５１が重なり合わない程度の先端部５１から補助線Ｂまでの距離Ｌを取って立設するようにプレス加工により折曲げを行い
（ｂ）の状態とする。本実施の形態においては、図３に示すように、手摺り支持部５は、両先端部５１が合わさって構成されることから、距離Ｌは、取付座３の一辺の長さ２Ｌの半分を目安として製造されているが、手摺り支持部５に傾斜を設ける場合等、目的により適宜調整することも可能である。
また、本実施の形態においては、プレス加工時において、円柱状の手摺り２の曲面に合わせたカーブを手摺り支持部５に与えながらプレス加工を行うことで、手摺り２と手摺り支持部の接着面を増大させ十分な強度が得られるようにした。
【００２６】
次に補助線Ａで示した取付座３とアーム部４との境目に沿って、前記両アーム部の裏面
が内側になるように略平行に両アーム部を立設させることにより、（ｃ）に示す前記ステンレス板材の手摺り支持部５の両先端５１が対向した角状の環を形成することにより成形する。
【００２７】
ここで、本発明に係る手摺り用ブラケットにおいては、型を抜いたステンレス板材の角が人体に触れる部分に露出しないように手摺り支持部５の折曲げ方向を工夫して最終的に内側に先端部５１が折り込まれるように配置し、ステンレス板材の角が人体に触れること
により怪我することが無いようにしている。
【００２８】
また、手摺り用ブラケットは角状の環を構成するため、溶接等の別途作業を必要とせずに手摺り２及び壁とそれぞれ固定することにより十分な強度を保つことが可能である。
【００２９】
また、本発明の別の実施の形態として、図２（ｄ）に示すように、アーム部４及び手摺り支持部５の折り曲げ位置を非対象とすることにより、手摺り支持部に任意の傾斜がある手摺り用ブラケットを製造することも可能である。
【００３０】
この手摺り支持部の傾斜した手摺り用ブラケットを用いれば、階段や、スロープ状の通路において手摺りを設置する場合に、手摺り用ブラケットを傾けて固定する必要がなくなるため、デザイン性にも優れているばかりでなく、常に角部が下方向に向くようになるため安全性も高いものとなる。
【００３１】
さらに、本発明に係る手摺り用ブラケットは、勿論そのまま、手摺りに用いることも可能であるが、金属製の手摺り用ブラケットをそのまま設置すると、背の低い子供がいるような場所においては、スチール板材の手摺り用ブラケットに頭部や顔をぶつける危険が伴うことがあるため、本手摺り用ブラケットは、図４に示すようなカバー体６ａ，６ｂを被覆することも可能である。
【００３２】
前記カバー体６ａ，６ｂは、少なくとも２つの部品から構成され、手摺り用ブラケットの正面部及び背面部を被うように取り付けられる。前記カバー体の材料としては、金属部の保護を目的としていることから、金属以外の材料であり、また加工しやすい物が適用され、本実施の形態においては、樹脂により作成したものを採用した。
【００３３】
前記カバー体６ａ，６ｂの形状については、最も簡単な方法としては、図４に示したように手摺り用ブラケット１の２個のアーム部を被覆する構成とすることであるが、この形状に限定されることはなく、取り付けられる場所や目的によって適宜変更することが可能である。
【００３４】
以上のように、本実施に係る手摺り用ブラケットについて、その実施例について説明したが、本発明は上記実施例に記載した構成に限定されるものではなく、その趣旨を逸脱しない範囲において適宜その構成を変更することが可能である。
【符号の説明】
【００３５】
１  手摺り用ブラケット、２  手摺り、３  取付座、３１  ねじ孔、４  アーム部、５
手摺り支持部、５１  先端部、５２  ねじ孔、６ａ  カバー体正面部、６ｂ  カバー体背面部
【図１】
2015010461.tif 000003
【図２】
2015010461.tif 000004
【図３】
2015010461.tif 000005
【図４】
2015010461.tif 000006
【図５】
2015010461.tif 000007